(57)【要約】【課題】  業務予定を立てるコンピュータ支援の方法を提供する。【解決手段】  業務予定を立てるコンピュータ支援の方法は、空きのあるタイムスロットを含む予定表（１１）を提供し、業務に適した複数のタイムスロットを特定する予約を提示し、予約を断るかまたは予約の提示で特定された複数のタイムスロットのうちの１つに関する予約を受け付けるという通知（７５）を提供するステップをそれぞれ含む。【選択図】  図７
2004265385.tif 000002
【特許請求の範囲】
【請求項１】
業務予定を立てるコンピュータ支援の方法であって、
空きのあるタイムスロットを含む予定表を受け取り、
前記業務に適した複数の前記タイムスロットを特定する予約を提示し、
前記予約を断るか、または提示した前記複数のタイムスロットのうちの１つに関する予約を受け付けるという通知を受け取るステップをそれぞれ含むことを特徴とするコンピュータ支援の方法。
【請求項２】
前記予約の提示は、オーダーメイドの製品の予約を提示することを含むことを特徴とする請求項１記載のコンピュータ支援の方法。
【請求項３】
前記予約の提示は、ガスタービンエンジンの予約を提示することを含むことを特徴とする請求項２記載のコンピュータ支援の方法。
【請求項４】
前記予約の提示は、整備業務の予約を提示することを含むことを特徴とする請求項２記載のコンピュータ支援の方法。
【請求項５】
前記提示された予約を検討して、この提示された予約を受け付けるかまたは断るかを決定する追加のステップをそれぞれ含むことを特徴とする請求項１記載のコンピュータ支援の方法。
【請求項６】
前記提示された予約の検討は、この提示された予約を人が検討することを含むことを特徴とする請求項５記載のコンピュータ支援の方法。
【請求項７】
予定を管理するコンピュータ支援の方法であって、
タイムスロットを含む予定表と、予約済、予約あり、空きの群から選択される前記タイムスロットのステータスと、を提供し、
予約ありまたは空きのステータスを有する複数の前記タイムスロットを特定する業務予約を受け付け、
受付時に特定されたタイムスロットのステータスを調整するステップをそれぞれ含むことを特徴とするコンピュータ支援の方法。
【請求項８】
前記調整は、前記タイムスロットの予約が選択された数に達した時点で、空きのステータスを予約ありのステータスに変更することを含むことを特徴とする請求項７記載のコンピュータ支援の方法。
【請求項９】
前記調整は、前記タイムスロットの予約が選択された数に達した時点で予約ありのステータスを予約済のステータスに変更することを含むことを特徴とする請求項７記載のコンピュータ支援の方法。
【請求項１０】
業務予定を立てるコンピュータ支援の装置であって、
空きのあるタイムスロットを含む予定表を受け取る手段と、
前記業務に適した複数の前記タイムスロットを特定する予約を提示する手段と、
前記予約を断るか、または提示した前記複数のタイムスロットの１つに関する予約を受け付けるかの通知を受け取る手段と、を有することを特徴とする業務予定を立てる装置。
【請求項１１】
前記業務は、オーダーメイドの製品に実行される業務であることを特徴とする請求項１０記載のコンピュータ支援の装置。
【請求項１２】
前記業務は、ガスタービンエンジンに実行される業務であることを特徴とする請求項１０記載のコンピュータ支援の装置。
【請求項１３】
前記業務は、整備業務であることを特徴とする請求項１０記載のコンピュータ支援の装置。
【請求項１４】
予定を管理するコンピュータ支援の装置であって、
タイムスロットを含む予定表と、予約済、予約あり、空きの群から選択される前記タイムスロットのステータスと、を提供する手段と、
予約ありまたは空きのステータスを有する複数の前記タイムスロットを特定する業務予約を受け付ける手段と、
受付時に特定されたタイムスロットのステータスを調整する手段と、を含むことを特徴とするコンピュータ支援の装置。
【請求項１５】
空きのステータスは、前記タイムスロットの予約が選択された数に達した時点で予約ありのステータスに変更されるように設けられていることを特徴とする請求項１４記載のコンピュータ支援の装置。
【請求項１６】
予約ありのステータスは、前記タイムスロットの予約が選択された数に達した時点で予約済に変更されるように設けられていることを特徴とする請求項１４記載のコンピュータ支援の装置。
【請求項１７】
業務予定を立てるコンピュータ支援の方法であって、
空きのあるタイムスロットを含む予定表を提供し、
前記業務に適した少なくとも１つのタイムスロットを特定する予約を受け取り、
前記予約を断るか、または提示した前記少なくとも１つのタイムスロットの１つに関する予約を受け付けるという通知を提供するステップをそれぞれ含むことを特徴とするコンピュータ支援の方法。
【請求項１８】
業務予定を立てるコンピュータ支援の装置であって、
空きのあるタイムスロットを含む予定表を提供する手段と、
前記業務に適した少なくとも１つのタイムスロットを特定する予約を受け取る手段と、
前記予約を断るか、または提示した前記少なくとも１つのタイムスロットの１つに関する予約を受け付けるという通知を提供する手段と、を含むことを特徴とするコンピュータ支援の装置。
【発明の詳細な説明】
【技術分野】
【０００１】
本発明は、業務予定を立てるコンピュータ支援の方法に関し、特に、エンジンおよびモジュールのオーバホールおよび修理に関する情報を収集かつ提供するウェブベースの方法に関する。
【背景技術】
【０００２】
オーダーメイド部品などの製品のオーバホールや修理業務の予定作成および予約は、販売員、設備管理者、業務技術者などの相互のやりとりを伴う。しかし、これらの種々の部署は、互いとの連絡がよくない場合が多い。関係者間で関連情報を瞬時にかつ連続的に交換できないことによって、業務予定の作成のプロセスが、時間がかかり、非効率的でかつ間違いが生じやすいものになってしまう。
【発明の開示】
【発明が解決しようとする課題】
【０００３】
従って、関係者が情報の閲覧、修理や注文の予約、予約の確認、および業務管理を行うことができる共通のデータリポジタリにリンクされており、かつオーバホールや修理業務を予約および分析することができるウェブベースのシステムが求められている。
【０００４】
よって、本発明の目的は、業務予定を立てるコンピュータ支援の方法を提供することである。
【課題を解決するための手段】
【０００５】
本発明によると、業務予定を立てるコンピュータ支援の方法は、空きのあるタイムスロット（時間枠）を含む予定表を提供し、業務に適した複数のタイムスロットを特定する予約を提示し、予約を断るかまたは提示された複数のタイムスロットのうちの１つに関して予約を受け付けるという通知を提供するステップをそれぞれ含む。
【０００６】
本発明によると、予定を管理する方法は、タイムスロットを含む予定表と、予約済、予約あり、空き（ｂｏｏｋｅｄ，ｒｅｓｅｒｖｅｄ，ｏｐｅｎ）の群から選択されるタイムスロットのステータスと、を提供し、予約ありまたは空きのステータスを有する複数のタイムスロットを特定する業務予約を受け付け、受付時に特定されたタイムスロットのステータスを調整するステップをそれぞれ含む。
【０００７】
本発明によると、予定を管理するコンピュータ支援の装置は、タイムスロットを含む予定表と、予約済、予約あり、空きの群から選択されるタイムスロットのステータスと、を提供する手段と、予約ありまたは空きのステータスを有する複数のタイムスロットを特定する業務予約を受け付ける手段と、受付時に特定されたタイムスロットのステータスを調整する手段と、を有する。
【発明を実施するための最良の形態】
【０００８】
本発明の主な目的は、オーバホールや修理業務の予約および分析のためのウェブベースのシステムを提供することである。本明細書では、エンジンの処理および予約システム２、すなわちＥＩＢＳ（Ｅｎｇｉｎｅ  Ｉｎｄｕｃｔｉｏｎ  ＆  Ｂｏｏｋｉｎｇ  Ｓｙｓｔｅｍ）を参照して説明するが、本発明は、特にエンジンなどのオーダーメイド部品である製品のあらゆる形態の予約システムを広く含むものである。本発明のＥＩＢＳは、スロッティングプランカレンダ（Ｓｌｏｔｔｉｎｇ  Ｐｌａｎ  Ｃａｌｅｎｄｅｒ）、スカイライン（Ｓｋｙｌｉｎｅ）、マスタ予定表（Ｍａｓｔｅｒ  Ｓｃｈｅｄｕｌｅ）、販売に対する製造の報告書（Ｐｒｏｄｕｃｔｉｏｎ  ｔｏ  Ｓａｌｅｓ  Ｒｅｐｏｒｔ）、および管理職用の集計（Ｅｘｅｃｕｔｉｖｅ  Ｓｕｍｍａｒｙ）の５つの主要構成要素を含む。
【０００９】
これらの５つの主要な構成要素は、変動要素が多い製造環境に基準となる体系を与えるように統合されている。ＥＩＢＳの基本動作は、以下のように要約することができる。現場の販売員は、業務に空きのあるスロット（枠）を閲覧し、検討を行うために計画および業務の予測を要求する。このようなやりとりは全てウェブベースの環境で実行されることが好ましく、表示されるＥＩＢＳのウェブページに与えられる（ｐｏｐｕｌａｔｅ）データは、中央データリポジタリ１０に格納される。検討は、スロッティングプランカレンダとスカイラインを使用して行われ、これらは共に要求される処理（ｉｎｄｕｃｔｉｏｎ）に対するスロットの依頼状況を示す。スカイラインは、各部署の業務に関して計画された毎月の入力を年単位で示す。また、スカイラインは、マスタ製造計画（ＭＰＳ）にリンクしており、要求事項を受けるとこれを反映させ、マスタ製造計画（ＭＰＳ）もまたこの要求事項を反映させる。
【００１０】
次に、製品が製造または修理され、ＭＰＳは、工程の種々のゲートに対する製品の位置を示すように更新される。ＭＰＳにおいて項目が更新されるので、販売に対する製造の報告書はリアルタイムで更新され、ＥＩＢＳのユーザに種々の所定のカテゴリによって販売計画書に対する業務の状況が示される。続いて、納品ステータスと現時点で予測される次月の入力をユーザが即座に参照できるように、管理職用の集計が更新される。
【００１１】
図１を参照すると、本発明のスロッティングプランカレンダ１１が示されている。好ましくは現場の販売員であるユーザは、ＰＣを使用してウェブベースのスロッティングプラン１１にアクセスする。スロッティングプラン１１は、カレンダ形式で空いたスロットを示す。ここでは、“空いたスロット”とは、好ましくはエンジンである製品を修理可能な日のことを意味する。スロッティングプラン１１のカレンダは、１２ヶ月間にわたることが好ましい。好適実施例では、連続する３ヶ月が一度に表示され、これらの月はユーザによって選択可能である。
【００１２】
スロッティングプラン１１は、さらに、エンジンセンタや（ＰＷ４０００エンジンなどの）製造系列のサブカテゴリ１３によって範囲を限定することができる。また、本発明のＥＩＢＳは、（異なる製造方法を有する）エンジンおよびモジュールに対して別個のスロッティングプラン１１を提示し、種々の工場訪問カテゴリを指定することもできる。スロッティングプラン１１のスロット１５に表示されたデータは、中央データレポジトリ１０から取得される。
【００１３】
動作時には、ユーザすなわち依頼者は、スロッティングプラン１１のスロットをクリックしてスロットを依頼する。ユーザは、依頼する修理に関連する情報をオンラインで入力する。取引先および地域の情報は、ユーザプロフィールから自動的に与えられることが好ましく、ユーザプロフィールは、ＥＩＢＳを介して好ましくは中央データレポジトリ１０よりアクセス可能である。さらに、オーバホールが依頼される製品の詳細や契約情報がウィンドウを含む環境を通して入力される。
【００１４】
スロッティングプラン１１に表示される個々のスロット１５は、スロット１５のステータスを示すように視覚的にコード化されている。本実施例では、スロット１５の日付を示すボックス１７が、スロット１５に入力された予定作成の依頼すなわち要求事項の数を示すように色分けされているか、もしくは他の方法で視覚的に変更されている。本実施例では、空いたスロットに要求事項を３つまで入力することができ、以下で説明するように、マスタ立案者によって１つの要求事項が予約される。同様に、モジュールの依頼は、７つまで入力可能であり、マスタ立案者によって、１つのスロット１５当たり４つのモジュールが予約される。追加の視覚的なキューにより、スロット１５の空き、一時的に予約済、予約あり、または予約済（ｏｐｅｎ，ｔｅｎｔａｔｉｖｅｌｙ  ｂｏｏｋｅｄ，ｒｅｓｅｒｖｅｄ，ｂｏｏｋｅｄ）の状況を特定することができる。
【００１５】
スロット１５の予約に加えて、ユーザは、スロット１５をクリックまたは他の方法で選択して、スロット１５の保留中の依頼を閲覧することができる。図２を参照すると、本発明の依頼詳細（Ｅｎｇｉｎｅ  Ｒｅｑｕｅｓｔ  Ｄｅｔａｉｌｓ）ウィンドウ２１が示されている。依頼詳細ウィンドウ２１は、選択されたスロット１５に対してなされた予定作成の依頼に関連する情報を表示する。好適実施例では、ユーザがセキュリティアクセス権を有する予定作成の依頼のみに関して完全な情報が表示される。プライバシー保護のために、ユーザがアクセスを許可されていない予定作成の依頼は、略記で表示可能である。
【００１６】
空き、一時的に予約済、および予約ありのスロットによって収集された情報は、販売および業務を検討する構成要素として収集され、そのステータスはこのときに検討されるとともにそれに応じて変更される。スロット依頼のステータスを変更する決定は、必要な期日までにエンジンまたはモジュールを受け取る確率、契約の実行、エンジンセンタの処理能力などの種々の要素を検討した上でマスタ立案者によってなされる。これらの要素を検討した上で、マスタ立案者は、毎日もしくは要求される頻度でデータを検討して、スロットを予約するか、スロットの依頼を断るか（この場合には記録は受注残に移動される）、依頼を他のスロットに移動するか、エンジンまたはモジュールを内部もしくは外部のエンジンセンタに委託するか、顧客が依頼を取り消した場合に依頼を削除するかを決定する。記録のステータスの変更は、スカイラインの表に表示されるとともにシステムに記録される。依頼者は、電子メールで最終通知を受け取るとともに、依頼のステータスをオンラインでも確認できる。
【００１７】
エンジンセンタに製品が到着すると、適切な人がエンジンを受け取り、最終的に同じシステムを使用してエンジンを処理する。データベースに含まれないエンジンが到着すると、ステータス保留として入力され、マスタ計画および販売の適切な人に自動的に電子メールが送信される。
【００１８】
図３を参照すると、本発明のスカイライン３１が示されている。スカイライン３１は、ＥＩＢＳへの入力を集計し、中央リポジタリ１０から取得したスロッティングプラン１１への予約から構成されている。さらに、スカイライン３１は、ＥＩＢＳへの予測される入力および出力を閲覧可能とする分析的な機能も提供する。予約は、オーバホールカテゴリの階層（１〜１０）の四半期計画にリンクされている。スカイライン３１は、修理の種類やカテゴリ、および作業が計画通り行われる確率３３によってソートされた１２ヶ月にわたる予約を表示するとともに、顧客コード３５と現在のステータス３７（受け取り、処理、発送）を表示し、変更が生じる度に表示された情報を更新する。
【００１９】
スカイライン３１は、好ましくは施設（エンジンセンタ）によって構成され、月毎に示されるとともに１年単位で表示される。異なる形式は、固有の色分けで示される。好ましくは、将来的に要求される出力を満たすために必要な入力を示す処理ライン（ｉｎｄｕｃｔｉｏｎ  ｌｉｎｅ）３２と、サージに対する潜在能力を示す処理能力ライン（ｃａｐａｃｉｔｙ  ｌｉｎｅ）３４と、がスカイライン３１に重ねて表示される。
【００２０】
スカイライン３１は、エンジン形式と工場訪問の種別（重度および軽度）でスタックされる。販売入力ライン（処理）ライン３２が、“Ｘ”ヶ月分で落ちた出力に基づいて、その月に要求される上限を設定する。この入力ライン３２は、出力計画を満たすためになにが必要かを示す。
【００２１】
サージライン３４は、施設における処理のための追加の緩衝処理能力を示す。これらの項目は、販売入力ラインの上に設けられる。
【００２２】
稼働率ライン（ｒｕｎ  ｒａｔｅ  ｌｉｎｅ）は、年間販売計画を達成するためにその月にエンジンセンタが必要とする処理件数を示す。これは、一般に、必要な総処理要求事項から実際の処理件数を引いて、その年の残る月数で割ることによって計算される。このラインは、続いて要求される高さに設けられる。また、このラインは、処理状況によって、上下に調整される。
【００２３】
上述の方法により、特定のエンジンセンタにおける１２ヶ月にわたる（好ましくは定義された確率−高、低、中で示される）予測および予約ステータスのスナップショットを世界中でリアルタイムで見ることが可能となる。さらに、スカイライン要求事項３６をクリックして、特定の項目に該当するデータを取得することもできる。中央データレポジトリ１０に格納されたスロッティングプラン１０情報へのリンクにより、スロットが埋まる（ｆｉｒｍ）に従ってスカイライン３１に工場処理能力を表示することが可能になる。スカイライン３１は、以下で説明するスカイライン３１のマスタ予定表４１へのリンクにより、要求事項の受け取り、処理、および出荷に従って更新された情報を表示することが可能になる。また、スカイライン３１から以下で説明する販売に対する製造の計画５１へのリンクも提供されている。
【００２４】
図４を参照すると、本発明のマスタ予定表（Ｍａｓｔｅｒ  Ｓｃｈｅｄｕｌｉｎｇ  ＆  Ｓｔａｔｕｓ）４１が示されている。マスタ予定表４１は、中央データレポジタリ１０にリンクしている。マスタ予定表４１は、オーバホール工場の製造見込みを示すように構成される。マスタ立案者は、要求物の計画に影響を与える数値を提供する全てのエンジンセンタのマスタ予定表４１を管理する。マスタ立案者は、ＥＩＢＳに人的な入力と意志決定能力を提供する。予定表は、立案者がオーバホール予定である製品を、異なる形式（構造）、カテゴリコード、数量、および日付によって特定する。マスタ予定表４１には、顧客名称（Ｃｕｓｔｏｍｅｒ）、形式（Ｍｏｄｅｌ）、カテゴリコード（ＣＡＴ）、通し番号（ＥＳＮ）、受取日（Ｒｅｃｅｉｖｅ  Ｄａｔｅ）、処理日（Ｉｎｄｕｃｔ  Ｄａｔｅ）、（主要管理点を示す）ゲート通過日（ＧａｔｅＩ  Ｃｏｍｐｌｅｔｅ，ＧａｔｅＩＩＩ  Ｐｌａｎ  Ｓｔａｒｔ  Ｄａｔｅ，ＧａｔｅＩＩＩＩ  Ａｃｔｕａｌ  Ｓｔａｒｔ  Ｄａｔｅ）、試験日（Ｔｅｓｔ  Ｄａｔｅ）、出荷日（Ｐｌａｎ  Ｓｈｉｐ  Ｄａｔｅ，Ｒｅｖｉｓｅｄ  Ｐｌａｎ  Ｓｈｉｐ  Ｄａｔｅ，Ａｃｔｕａｌ  Ｓｈｉｐ  Ｄａｔｅ）、契約日（Ｃｏｎｔｒａｃｔ  Ｄａｔｅ，Ｒｅｖｉｓｅｄ  Ｃｏｎｔｒａｃｔ  Ｄａｔｅ）、色分けステータス（赤、黄、緑）（ＲＹＧ）、経過時間（Ｅｌａｐｓｅｄ  Ｔｉｍｅ）、重要な部品および問題へのリンク（Ｃｒｉｔｉｃａｌ  Ｐａｒｔ  Ｓｕｍｍａｒｙ）、スカイライン３１へのリンク、販売に対する製造の報告書および管理職用の集計へのリンク、およびＳＡＰへのリンクが含まれることが好ましい。
【００２５】
マスタ予定表４１が更新されるとともに、更新データが中央データレポジトリ１０に格納されるに従って、種々のリアルタイムリンクが生じる。スカイライン３１は、受け取り、処理、および出荷された製品を示すように更新される。以下で説明する販売に対する製造の報告書は、最新の予定表のステータスを示すように更新される。また、以下で説明する管理職用の集計は、最新の今月のステータスと次月の受注を示すように更新される。ユーザに毎日の納品の最新情報を提供するために、自動化された電子メールのメッセージが生成される。
【００２６】
図５を参照すると、本発明の販売に対する製造の報告書５１が示されている。販売に対する製造の報告書（ＰＷＡＳ  Ｃｏｍｍｅｒｃｉａｌ  Ｐｒｏｄｕｃｔｉｏｎ  Ｔｏ  Ｓａｌｅｓ）５１は、製造量を示し、マスタ製造予定表４１を補足するように設計されている。販売に対する製造の報告書５１は、最新年度の（月毎の）売上計画に対する製造物の納品の比較を提供する。販売に対する製造の報告書５１は、各々のエンジンセンタに関して、エンジン系列毎の重度、軽度、およびモジュールの要求事項を記録する。販売に対する製造の報告書５１は、“保留中”の要求事項（Ｃｕｓｔｏｍｅｒ  Ｈｏｌｄ）と契約が遅れている要求事項（Ｃｏｎｔｒａｃｔ  Ｏ／Ｄ）を共に強調表示する。各々のエンジンセンタ毎の計画用のデルタ（Ｄｅｌｔａ）５３とオーバホール事業の総計が計算される。最後に、計画を達成するために必要な製造量を求めるように月毎の稼働率が計算される。
【００２７】
図６を参照すると、本発明の管理職用の集計６１が示されている。管理職用の集計６１は、（前月、今月、次月を含む）３ヶ月間の製造を表示することが好ましい。管理職用の集計６１は、実際に製造された製品と、（エンジンセンタが財務計画のために確約した製品である）“財務上の確約”と、の比較を提供する。管理職用の集計６１は、各々のエンジンセンタの形式毎の重度、軽度、モジュール、および雑多な要求事項を中央データレポジタリ１０から呼び出して特定する。委託した要求事項も追跡することができ、エンジンセンタおよびアフタマーケットの要求事項の両方の総計が求められる。更新のために、マスタ製造予定表４１へのリアルタイムのリンクが提供される。
【００２８】
本発明のＥＩＢＳの上述の動作に加えて、以下のことが機能的に実行される。毎週の業務評価のために製造パッケージが週１回作成される。このシステムは、事前に定めた中断を利用して、上述した主要な構成要素に加えて重要な部品の検討、ユーザ活動の追跡、報告書の検討などを可能とする世界中に配信するパッケージを作成する。
【００２９】
図７および上述の開示によると、販売員７１は、スロッティングプラン１１を使用してＥＩＢＳ２の入力を行う。スロッティングプラン１１の入力により、スカイライン２１が構成されて中央データリポジタリ１０に格納される。予測および入力のステータスを検討するために、エンジンセンタの（典型的には販売および業務の）代表者と会議が開かれることが好ましい。マスタ立案者７３によって要求事項が確認（ｆｉｒｍ）されるとともに予約され、この時点で好ましくは電子メール７５によって予約を入れたユーザ７１に通知が送信される。システムは、週毎に製造パッケージを作成する。管理職用の集計、販売に対する製造のステータス、およびマスタ予定表は、毎週の業務評価において評価される。応答時間（ＴＡＴ）および契約遂行については、リアルタイムで測定値（ｍｅｔｒｉｃｓ）を評価する。
【００３０】
本発明によって、上述の目的、手段、および利点を完全に達成するエンジンおよびモジュールのオーバホールおよび修理に関連する情報を収集かつ提供するウェブベースの方法が提供されることは明らかである。本発明を詳細な実施例に関して説明したが、当業者には、上述の説明から他の代替物、改良、および変更は明らかであろう。従って、本発明は、請求項の範囲に含まれるこのような代替物、改良、および変更を含むものである。
【図面の簡単な説明】
【００３１】
【図１】本発明のスロッティングプランを示す説明図である。
【図２】本発明の依頼詳細ウィンドウを示す説明図である。
【図３】本発明のスカイラインを示す説明図である。
【図４】本発明のマスタ予定表のウィンドウを示す説明図である。
【図５】本発明の販売に対する製造予定を示す説明図である。
【図６】本発明の管理職用の集計を示す説明図である。
【図７】本発明のＥＩＢＳの構成要素を示す説明図である。
【符号の説明】
【００３２】
１０…中央データレポジタリ
１１…スロッティングプラン
２１…スカイライン
７１…販売員
７３…マスタ立案者
７５…電子メール
【図１】
2004265385.tif 000003
【図２】
2004265385.tif 000004
【図３】
2004265385.tif 000005
【図４】
2004265385.tif 000006
【図５】
2004265385.tif 000007
【図６】
2004265385.tif 000008
【図７】
2004265385.tif 000009